(57)【特許請求の範囲】
【請求項１】
操作指示を入力するための操作パネルであって、操作指示を入力する入力部と、操作画面を表示する表示部と、操作指示を入力する度に異なる操作画面を前記表示部に表示させる制御部と、操作指示が入力された操作画面を記憶する記憶部とを備え、
前記制御部は、操作画面が記憶されているとき、記憶部から操作画面を呼び出すための呼出キーを表示させ、呼出キーが操作されると、前記制御部は、表示されている操作画面に関連する操作画面を前記記憶部から呼び出して前記表示部に表示させ、呼び出された操作画面において操作指示の入力による設定が完了したとき、表示されている呼出キーを消去することを特徴とする操作パネル。
【請求項２】
記憶部は、複数の操作画面を記憶し、制御部は、関連する操作画面を全て表示させ、１つの操作画面を選択可能とすることを特徴とする請求項１に記載の操作パネル。
【請求項３】
リセット操作がされたとき、制御部は、記憶されている操作画面を削除せずに保持しておくことを特徴とする請求項２に記載の操作パネル。
【請求項４】
制御部は、操作画面に操作指示が入力されたとき、記憶部に操作画面を記憶させるための登録キーを表示させ、登録キーの操作により操作画面を記憶するとき、制御部は、記憶する操作画面に関連する操作画面がある場合、関連する操作画面を登録する操作画面に関連付けることを特徴とする請求項１〜３のいずれかに記載の操作パネル。
【請求項５】
入力部から削除操作がされたとき、制御部は、前記記憶部に記憶した操作画面を削除することを特徴とする請求項１〜３に記載の操作パネル。
【請求項６】
請求項１〜５のいずれかに記載の操作パネルが装着されたことを特徴とする電気機器。
【請求項７】
電気機器が、コピー機、プリンタ、ファクシミリ、スキャナ、もしくは、これら２つ以上を組み合わせた複合機器であることを特徴とする請求項６に記載の電気機器。
【発明の詳細な説明】
【技術分野】
【０００１】
本発明は、関連する操作画面を容易に呼び出すことができる操作パネルと、それを備えた電気機器に関する。
【背景技術】
【０００２】
現在の画像処理装置は、ステープル処理やパンチング処理といった種々の出力処理機能を有する。このような出力処理機能を実行するためには、利用者が複数の操作画面に操作指示を入力する必要がある。しかし、複数の操作画面に操作指示を入力するには、時間と労力が必要となる。
【０００３】
そこで、特許文献１では、コピーモードの操作画面、ファクシミリモード画面といった操作画面を呼び出すための短縮番号をあらかじめ記憶させておき、利用者が、いずれかの短縮番号を入力することで、その短縮番号に関連付けられた操作画面を呼び出すことができる操作方法が開示されている。
【０００４】
特許文献２では、マニュアル設定された条件パターンを、登録名と合わせてそれぞれ登録しておくことで、その登録名を検索情報として、所望の条件パターンを即座に呼び出すことができる操作方法が開示されている。
【特許文献１】特開平１１−０６９０４０公報
【特許文献２】特開平０６−０８９０５６公報
【発明の開示】
【発明が解決しようとする課題】
【０００５】
特許文献１および特許文献２は、利用頻度の高い操作画面あるいは条件パターンをあらかじめ登録し、登録された操作画面あるいは条件パターンを簡略操作によって即座に呼び出せるようにしたものである。すなわち、特許文献１および特許文献２は、利用者の利便性を向上させたものであり、複雑な機能を用いる場合に適用される操作方法である。
【０００６】
しかしながら、操作画面あるいは条件パターンを登録する数には制限があり、登録された操作画面あるいは条件パターンを管理する必要がある。
【０００７】
また、登録するほど複雑な操作画面あるいは条件パターンでなくとも、操作画面が複数の階層で構成されている場合は、下層にある操作画面の設定をするときに、同じ操作画面を何度もアクセスする必要が生じる。
【０００８】
本発明は、上記に鑑み、あらかじめ登録することなく、操作指示を入力する操作画面を容易に表示させることができる操作パネル、および、それを備えた電気機器の提供を目的とする。
【課題を解決するための手段】
【０００９】
上記目的を達成するために、本発明では、操作指示を入力するための操作パネルであって、操作指示を入力する入力部と、操作画面を表示する表示部と、操作指示を入力する度に異なる操作画面を前記表示部に表示させる制御部と、操作指示が入力された操作画面を記憶する記憶部とを備え、前記入力部から呼出操作がされると、前記制御部は、表示されている操作画面に関連する操作画面を、前記記憶部から呼び出して前記表示部に表示させることを特徴とする。
【００１０】
ここで、関連する操作画面とは、先の操作画面で入力した操作指示が、次の操作画面での設定に影響を与える操作画面である。すなわち、先の操作画面で入力した操作指示に応じて、次の操作画面で入力できる操作指示が決まる関係を有する操作画面である。
【００１１】
記憶部は、操作指示が入力された操作画面を記憶する。記憶部は、複数の操作画面を記憶する。例えば、操作指示が入力された操作画面と、その操作画面と関連する操作画面を記憶する。あるいは、操作指示が入力された操作画面を全て記憶する。
【００１２】
入力部から呼出操作がされると、制御部は、表示されている操作画面に関連する操作画面を記憶部から呼び出し、表示部に表示させる。操作画面を複数記憶している場合、制御部は、関連する操作画面を全て表示させ、１つの操作画面を選択可能とする。
【００１３】
上記構成によると、複数の操作画面を登録した場合であっても、一目で選択する操作画面を見ることができるので、呼出操作を向上させることができる。また、複数の操作画面が登録されている場合には、１度の操作で所望する操作画面に移行することができない場合があるため、移行した操作画面からであっても、所望する操作画面を選択することができる。
【００１４】
操作指示を入力中に誤ってリセット操作をした場合、通常、入力していた操作指示は消去される。この場合、再度、操作指示を入力する必要がある。そこで、制御部は、リセット操作がされたとき、記憶されている操作画面を削除せずに保持しておくことを特徴とする。この構成によると、誤ってリセット操作をしてしまったとしても、呼出操作をすることで、リセット操作がされるまでに入力していた操作指示を呼び出すことができる。
【００１５】
入力部は、記憶部から操作画面を呼び出すための呼出キーを備える。制御部は、前記呼出キーが操作されたときに、前記記憶部から呼び出した操作画面を表示させる。
【００１６】
呼び出された操作画面に操作指示が入力されたとき、制御部は、前記操作画面に対する呼び出しを不可にする。
【００１７】
他の利用者が登録した操作画面が存在すると、利用者の操作性を阻害する恐れがある。そこで、入力部から削除操作がされたとき、制御部は、前記記憶部に記憶した操作画面を削除する。この構成により、利用者は、自らが登録した操作画面だけを機能させることができる。
【００１８】
これら操作パネルを電気機器に供える。電気機器としては、コピー機、プリンタ、ファクシミリ、スキャナ、もしくは、これら２つ以上を組み合わせた複合機器が例示できる。
【発明の効果】
【００１９】
本発明によると、先の操作画面に操作指示を入力した後に、次の操作画面に操作指示を入力した際、先に入力した操作指示では設定することができない場合において、利用者は、先の操作画面を容易に呼び出すことができる。したがって、操作画面を呼び出すために、何回も操作する必要がなくなり、設定時間の短縮を図ることができる。
【発明を実施するための最良の形態】
【００２０】
以下、本発明の操作パネル１３を詳細に説明する。なお、説明の便宜上、操作パネル１３をコピーモード、プリンタモード、スキャナモードおよびファクシミリモードを有する画像処理装置１である電気機器に装着した場合で説明する。
【００２１】
図１〜図３は、画像処理装置の一実施形態を示す斜視図、断面図、ブロック図を示す。画像処理装置１は、原稿の画像を読み取って記録用紙に印刷するコピーモード、原稿の画像を読み取って送信したり、原稿の画像を受信して記録用紙に印刷したりするファクシミリモード、情報端末装置からネットワークを通じて受信した画像を記録用紙に印刷するプリンタモード等を選択的に行なうことができる。
【００２２】
画像処理装置１は、原稿搬送読み取部２と、画像形成部３と、給紙部４と、排紙処理装置５と、ＵＳＢインターフェイス７とを備えている。
【００２３】
次に、コピーモードを例に挙げて、画像処理装置１の動作を説明する。
【００２４】
先ず、原稿を原稿搬送読み取り部２の原稿セットトレイ１１にセットすると、原稿検出センサ１２が原稿をセットされたことを検出する。そして、原稿搬送読み取り部２の操作パネル１３を操作することにより印刷用紙のサイズおよび変倍率等を入力設定する。その後、操作パネル１３の操作により複写の開始を指示する。
【００２５】
これらの操作に応答して、原稿搬送読み取り部２は、ピックアップローラ１８により原稿セットトレイ１１上の各原稿を１枚ずつ引き出し、原稿を捌き板１４と搬送ローラ１５との間を介してプラテンガラス１６へと送り出し、原稿をプラテンガラス１６上で副走査方向に搬送して原稿排出トレイ１７へと排出する。
【００２６】
このとき、第１読み取り部２１によって原稿の表面（下側面）を読み取る。第１読み取り部２１の第１走査ユニット２３をポジションに移動して位置決めし、第２走査ユニット２４を所定位置に位置決めしておき、第１走査ユニット２３の露光ランプにより原稿の表面をプラテンガラス１６を介して照射し、原稿の反射光を第１および第２走行ユニット２３、２４の各反射ミラーにより結像レンズ２６へと導き、原稿の反射光を結像レンズ２６によりＣＣＤ（Ｃｈａｒｇｅ  Ｃｏｕｐｌｅｄ  Ｄｅｖｉｃｅ）２７に集光させ、原稿の表面の画像をＣＣＤ２７上に結像させる。これにより原稿の表面の画像を読み取る。
【００２７】
また、第２読み取り部２２によって原稿の裏面（上側面）を読み取る。第２読み取り部２２は、プラテンガラス１６の上方に配置されており、原稿の裏面を照射する露光ランプ（ＬＥＤ（Ｌｉｇｈｔ  Ｅｍｉｔｔｉｎｇ  Ｄｉｏｄｅ）アレイや蛍光灯等）を、画素数毎に、原稿の反射光を集光するセルフォックレンズアレイ、および、セルフォックレンズアレイを通じて受光した原稿の反射光を光電変換して、アナログの画像信号を出力する密着イメージセンサ（ＣＩＳ：Ｃｏｎｔａｃｔ  Ｉｍａｇｅ  Ｓｅｎｓｏｒ）等を備えている。
【００２８】
原稿搬送読み取り部２は、その上部筐体を開いて、プラテンガラス１６上に原稿を載置した状態で第１読み取り部２１により原稿の表面を読み取ることが可能である。この場合は、第１および第２走査ユニット２３、２４を相互に所定の速度関係を維持しつつ副走査方向に移動させ、第１走査ユニット２３によってプラテンガラス１６上の原稿を露光し、第１および第２走査ユニット２３、２４によって原稿からの反射光を結像レンズ２６へと導き、結像レンズ２６によって原稿の画像をＣＣＤ２７上に結像する。
【００２９】
こうして原稿の片面もしくは両面が読み取られると、原稿の片面もしくは両面の画像を示す画像データがマイクロコンピュータ等の制御部５１（図３参照）に入力され、ここで画像データに各種の画像処理が施され、この画像データが画像形成部３へと出力される。
【００３０】
画像形成部３は、画像データによって示される原稿の画像を記録用紙に印刷するものであって、感光体ドラム３１、帯電装置３２、レーザスキャンユニット（以下、ＬＳＵとする）３３、現像装置３４、転写装置３５、クリーニング装置３６、除電装置（図示せず）、および、定着装置３７等を備えている。
【００３１】
また、画像形成部３には、主搬送路３８および反転搬送路３９が設けられており、給紙部４から給紙されて来た記録用紙が主搬送路３８に沿って搬送される。給紙部４は、用紙カセット４１に収納された記録用紙、または手差トレイ４２に載置された記録用紙を１枚ずつ引き出して、記録用紙を画像形成部３の主搬送路３８へと送り出す。
【００３２】
画像形成部３の主搬送路３８に沿って記録用紙が搬送されている途中で、記録用紙が感光体ドラム３１と転写装置３５との間を通過し、更に、定着装置３７を通過して、記録用紙に対する印刷が行われる。
【００３３】
感光体ドラム３１は、一方向に回転しており、その表面をクリーニング装置３６と除電装置によりクリーニングされてから、その表面を帯電装置３２により均一に帯電される。
【００３４】
レーザスキャンユニット３３は、原稿搬送読み取り部２からの画像データに基づいてレーザ光を変調し、このレーザ光によって感光体ドラム３１表面を主走査方向に繰り返し走査して、静電潜像を感光体ドラム３１表面に形成する。
【００３５】
現像装置３４は、トナーを感光体ドラム３１表面に供給して、静電潜像を現像し、トナー像を感光体ドラム３１表面に形成する。
【００３６】
転写装置３５は、該転写装置３５と感光体ドラム３１間を通過して行く記録用紙に感光体ドラム３１表面のトナー像を転写する。定着装置３７は、記録用紙を加熱および加圧して、記録用紙上のトナー像を定着させる。
【００３７】
主搬送路３８と反転搬送路３９の接続位置には、分岐爪４３が配設されている。記録用紙の片面だけに印刷が行われる場合は、分岐爪４３が位置決めされ、この分岐爪４３により定着装置３７からの記録用紙が排紙トレイ４４または排紙処理装置５の方へと導かれる。
【００３８】
また、記録用紙の両面に印刷が行われる場合は、分岐爪４３が点線で示す位置に回転移動されて、記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４または排紙処理装置５の方へと導かれる。
【００３９】
こうして印刷された記録用紙は、排紙トレイ４４または排紙処理装置５の方へと導かれて、排紙トレイ４４に排出されたり、排紙処理装置５の各排紙トレイ５ａのいずれかに排出される。
【００４０】
排紙処理装置５では、複数の記録用紙を各排紙トレイ５ａに仕分けして排出したり、各記録用紙にパンチング処理を施したり、各記録用紙にステープル処理を施す。例えば、複数部の印刷物を作成する場合は、各排紙トレイ５ａに印刷物の一部ずつが割り当てられる様に各記録用紙を各排紙トレイ５ａに仕分けして排出し、排紙トレイ５ａ毎に、排紙トレイ５ａ上の各記録用紙にパンチング処理やステープル処理を施して、印刷物を作成する。
【００４１】
ところで、各種処理の設定を行なうときは、一方の機能の条件を満足しないと他方の機能の設定ができない場合がある。例えば、パンチ・ステープル処理の設定と綴じ代の設定が挙げられる。利用者が、綴じ代を１０ｍｍ以下に設定した後、パンチ・ステープル処理を設定しようとした場合、パンチ・ステープル処理の設定をすることができない。パンチ・ステープル処理を設定したい場合は、綴じ代の操作画面を呼び出して、綴じ代を１０ｍｍより大きく設定する必要がある。
【００４２】
各種処理の設定を行なう操作画面は、いくつもの階層構造に形成されている。具体的には、図１０に示すように、設定を行なうときいくつもの操作画面が順に表示される。
【００４３】
ここで、Ｃの操作画面とＥの操作画面とが互いに関連している場合、Ｃの操作画面を呼び出し、その後にＥの操作画面を呼び出す場合、Ｃの操作画面は、ＡおよびＢの操作画面を経由してからＣの操作画面が呼び出される。そして、Ｅの操作画面は、一旦、Ｂの操作画面に戻ってから、Ｄの操作画面を表示して、Ｅの操作画面が呼び出される。
【００４４】
そのため、Ｅの操作画面の時に、Ｃの操作画面を呼び出したい場合は、図１１（ａ）に示すように、一旦、Ｄの操作画面、Ｂの操作画面の順に戻ってから、Ｃの操作画面を呼び出す必要がある。このような操作は、利用者が初心者の場合は、所望の操作画面を呼び出すことが困難となる。
【００４５】
そこで、操作パネル１３には、利用者の操作性を向上させるために、関連する操作画面を容易に呼び出すことができる呼出機能を備える。具体的には、Ｃの操作画面とＥの操作画面が関連する場合であって、Ｅの操作画面からＣの操作画面を呼び出すには、図１１（ｂ）に示すように、Ｅの操作画面のときに、呼出操作をすることでＣの操作画面をワンタッチで呼び出すことができる。
【００４６】
次に、呼出機能を実現するための操作パネル１３について説明する。
【００４７】
操作パネル１３は、図４に示すように、操作指示を入力する入力部である操作部１３ａと、操作画面を表示する表示部１３ｂと、操作指示を入力する度に異なる操作画面を表示部１３ｂに表示させる制御部１３ｃと、操作指示が入力された操作画面を記憶する記憶部１３ｄとを備える。
【００４８】
操作部１３ａは、入力を操作するための機械式のハードキー２０ａを備える。表示部１３ｂは、画面と、画面を駆動制御する駆動部とを有する。画面は、周知のタッチパネルを有し、入力を操作するためのタッチキー２０ｂが形成される。
【００４９】
記憶部１３ｄは、ＳＤＲＡＭ、フラッシュメモリ等の読み書き可能な半導体メモリであって、操作指示が入力された操作画面を記憶する。ここで、操作画面とは、すなわち、画面を形成するのに必要な表示内容と操作指示の入力内容のことである。
【００５０】
記憶部１３ｄは、操作指示が入力された操作画面以外に、記憶した操作画面に関する履歴管理情報を記憶する。履歴管理情報とは、記憶した操作画面の入力日時等のリストである。記憶部１３ｄは、操作画面を消去する消去部を備える。消去対象は、利用者が指定した操作画面、あるいは、処理が完了した操作画面である。消去部は、利用者からの削除操作が入力されてから動作する。消去部は、記憶した操作画面そのものを消去して、無効化する。
【００５１】
制御部１３ｃは、ハードキー２０ａあるいはタッチキー２０ｂからの入力や外部機器からの入力があると、メモリ（図示せず）に記憶されている装置全体の制御情報や設定情報等の情報に基づいて各部を制御する。すなわち、制御部１３ｃは、入力内容に対して、コピーモード、プリンタモード、スキャナモード、ファクシミリモードのいずれかの動作を開始する。
【００５２】
制御部１３ｃは、記憶部１３ｄに操作画面を記憶させるための登録キー２０ｄを表示させるように駆動部を制御する。制御部１３ｃは、表示部１３ｂに表示された操作画面に操作指示が入力されると、登録キー２０ｄを表示させるように駆動部を制御する。操作画面に操作指示が入力されないと、制御部１３ｃは、登録キー２０ｄを表示させない。
【００５３】
登録キー２０ｄが操作されると、制御部１３ｃは、表示部１３ｂに表示されている操作画面を記憶部１３ｄに記憶させる。そして、制御部１３ｃは、登録された操作画面と関連する操作画面があるかを確認する。関連する操作画面がある場合は、その操作画面を登録した操作画面と関連付けて登録する。関連する操作画面がない場合は登録しない。
【００５４】
例えば、図８に示すパンチ・ステープル処理の設定をする操作画面に操作指示を入力して登録した場合、制御部１３ｃは、パンチ・ステープル処理の設定をする操作画面と関連する操作画面があるか否かを確認する。先に、図７に示す綴じ代を設定する操作画面に操作指示を入力していた場合、検出部１３ｃは、綴じ代を設定する操作画面をパンチ・ステープル処理の設定をする操作画面と関連付けて記憶する。
【００５５】
なお、操作画面の登録は自動で行なっても良い。この場合、制御部１３ｃは、操作指示の入力が終了したか否かを確認する。操作画面に対する操作指示の入力が終了したことを検出すると、制御部１３ｃは、その操作画面を記憶部１３ｄに記憶させる。
【００５６】
このとき、制御部１３ｃは、手動による記憶する場合と同様に、登録された操作画面と関連する操作画面があるかを確認する。関連する操作画面がある場合は、その操作画面を登録した操作画面と関連付けて登録する。関連する操作画面がない場合は登録しない。
【００５７】
手動で登録操作する方法と、自動で登録操作する方法は、あらかじめ利用者が設定する。あるいは、工場で設定がされる。また、途中で設定を変更してもう良い。例えば、管理者によって設定を変更する。あるいは、画像処理装置１の電源をＯＮしたときに設定をしても良い。
【００５８】
制御部１３ｃは、記憶部１３ｄから操作画面を呼び出すための呼出キー２０ｃを表示させるように駆動部を制御する。制御部１３ｃは、記憶部１３ｄに操作画面が記憶されているかを確認する。操作画面が記憶されていることを検出すると、制御部１３ｃは、呼出キー２０ｃを表示させるように駆動部を制御する。操作画面が記憶されていないことを検出すると、制御部１３ｃは、呼出キー２０ｃを表示させない。
【００５９】
呼出キー２０ｃが操作されると、制御部１３ｃは、表示部１３ｂに表示されている操作画面と関連する操作画面を呼び出し、表示部１３ｂに表示するように駆動部を制御する。
【００６０】
例えば、図８に示すパンチ・ステープル処理の設定をする操作画面において、呼出キー２０ｃを操作すると、制御部１３ｃは、記憶部１３ｄに記憶されている操作画面から、パンチ・ステープル処理を設定する操作画面と関連する操作画面、すなわち、図７に示す綴じ代を設定する操作画面が記憶部１３ｄに記憶されているかを確認する。綴じ代を設定する操作画面を検出すると、制御部１３ｃは、綴じ代を設定する操作画面を呼び出して、表示部１３ｂに表示するように駆動部を制御する。
【００６１】
呼び出された操作画面に操作指示が入力されると、制御部１３ｃは、呼出キー２０ｃを消去する。具体的には、呼び出された操作画面に対して操作指示を入力され、その入力により設定が完了された場合、制御部１３ｃは、呼出キー２０ｃを消去する。操作指示を入力しても、設定が完了しない場合は、呼出キー２０ｃを消去せず、その呼出キー２０ｃを操作すると、他方の操作画面を呼び出す。
【００６２】
例えば、パンチ・ステープル処理の設定と綴じ代の設定の場合、図８に示すパンチ・ステープル処理の設定をする操作画面で呼出キー２０ｃを操作すると、図７に示す綴じ代を設定する操作画面を呼び出して表示する。綴じ代を設定後、再度、呼出キー２０ｃを操作すると、図８に示すパンチ・ステープル処理の設定をする操作画面を呼び出して表示する。そして、パンチ・ステープル処理の設定が完了すると、制御部１３ｃは呼出キー２０ｃを消去する。
【００６３】
記憶する操作画面のうちで関連する操作画面が複数ある場合、制御部１３ｃは、図９に示すように、関連する複数の操作画面を全て表示する。制御部１３ｃは、表示された操作画面のうち、選択された操作画面を読み出す。
【００６４】
例えば、パンチ・ステープル処理の設定と綴じ代の設定と記録用紙の設定の場合、図８に示すパンチ・ステープル処理の設定をする操作画面で呼出キー２０ｃを操作すると、図９に示す関連する複数の操作画面の選択画面を表示する。表示された操作画面のうち、図７に示す綴じ代を設定する操作画面が選択されると、制御部１３ｃは、選択された綴じ代を設定する操作画面を呼び出して表示する。
【００６５】
綴じ代を設定後、再度、呼出キー２０ｃを操作すると、図９に示す関連する複数の操作画面の選択画面を表示する。そして、記録用紙の設定をする操作画面を選択すると、制御部１３ｃは、選択された記録用紙の設定をする操作画面を呼び出して表示する。
【００６６】
記録用紙を設定後、再度、呼出キー２０ｃを操作すると、図９に示す関連する複数の操作画面の選択画面を表示する。そして、残りの図８に示すパンチ・ステープル処理の設定をする操作画面を選択すると、制御部１３ｃは、選択されたパンチ・ステープル処理の設定をする操作画面を呼び出して表示する。そして、パンチ・ステープル処理の設定が完了すると、制御部１３ｃは呼出キー２０ｃを消去する。
【００６７】
また、制御部１３ｃは、リセット操作がされた場合であっても、記憶部１３ｄに記憶されている操作画面を消去しない。すなわち、制御部１３ｃは、操作部１３ａからリセット操作がされたとしても、入力した操作指示を消去せずに、今までに入力した操作画面を一連の１のジョブとして記憶部１３ｄに記憶させる。リセット操作後、呼出キー２０ｃが操作されると、制御部１３ｃは、記憶したジョブを呼び出し、表示部１３ｂに表示するように駆動部を制御する。
【００６８】
次に、コピーモードを例に挙げて、操作パネル１３の呼出機能の動作説明をする。なお、説明の便宜上、設定する処理機能は、綴じ代とパンチ・ステープル処理とする。また、操作画面の登録は、手動での登録とする。
【００６９】
先ず、関連する操作画面を呼び出す動作について説明する。利用者が、電源をＯＮすると、制御部１３ｃは、図５に示す初期画面を表示部１３ｂに表示するように駆動部を制御する。そして、利用者がコピーモードを選択する操作をすると、表示部１３ｂには、図６に示す個別の機能設定を行なう選択画面が表示される。
【００７０】
綴じ代を設定する場合、利用者が選択画面から綴じ代を選択する。制御部１３ｃは、図７に示す綴じ代を設定する操作画面を表示させる。利用者が操作指示を入力すると、制御部１３ｃは、表示部１３ｂの一端に登録キー２０ｄを表示させる。利用者が登録キー２０ｄを操作すると、制御部１３ｃは、操作指示を入力した綴じ代を設定する操作画面を記憶部１３ｄに記憶させる。そして、利用者は、再度、個別の機能設定を行なう選択画面を呼び出す操作を入力し、制御部１３ｃは、個別の機能設定を行なう選択画面を表示させる。なお、利用者が登録キー２０ｄを操作しない場合は、制御部１３ｃは綴じ代を設定する操作画面を記憶させない。
【００７１】
次に、パンチ・ステープル処理を設定する場合、利用者が選択画面からパンチ・ステープル処理を選択する。制御部１３ｃは、図８に示すパンチ・ステープル処理の設定をする操作画面を表示させる。このとき、制御部１３ｃは、パンチ・ステープル処理の設定をする操作画面と関連する操作画面、すなわち、綴じ代を設定する操作画面が記憶部１３ｄに記憶されているか否かを確認する。綴じ代を設定する操作画面が記憶されている場合は、パンチ・ステープル処理の設定をする操作画面の一端に呼出キー２０ｃを表示する。綴じ代を設定する操作画面が記憶されていない場合は、パンチ・ステープル処理の設定をする操作画面に呼出キー２０ｃを表示しない。
【００７２】
パンチ・ステープル処理の操作指示を入力したとき、制御部１３ｃは、綴じ代の設定が条件を満たしているかを確認する。条件を満たしている場合は、制御部１３ｃは呼出キー２０ｃを消去する。そして、出力処理が許可される。
【００７３】
条件を満たしていない場合は、呼出キー２０ｃを操作して、綴じ代の設定をする操作画面を呼び出して設定を変更する。綴じ代を設定後、再度、呼出キー２０ｃを操作すると、パンチ・ステープル処理の設定をする操作画面を呼び出して表示する。そして、パンチ・ステープル処理の設定が完了すると、制御部１３ｃは呼出キー２０ｃを消去する。そして、出力処理が許可される。
【００７４】
次に、リセット操作後に記憶したジョブを呼び出す動作について説明する。利用者が、電源をＯＮすると、制御部１３ｃは、図５に示す初期画面を表示部１３ｂに表示するように駆動部を制御する。そして、利用者がコピーモードを選択する操作をすると、図６に示す個別の機能設定を行なう選択画面が表示される。そして、利用者が綴じ代とパンチ・ステープル処理の操作指示を入力する。
【００７５】
利用者が綴じ代とパンチ・ステープル処理の操作指示を入力中、利用者によってリセット操作がされると、制御部１３ｃは、これまでに操作指示が入力された操作画面を１のジョブとして記憶する。そして、制御部１３ｃは、初期画面を表示部１３ｂに表示するように駆動部を制御する。
【００７６】
このとき、制御部１３ｃは、初期画面の一端に呼出キー２０ｃを表示させる。リセット操作が誤ったものである場合、利用者が呼出キー２０ｃを操作することで、記憶部１３ｄに記憶されたジョブを呼び出し、呼び出したジョブに基づいて操作画面を表示する。そして、利用者は入力の続きを行なう。
【００７７】
リセット操作が誤ったものでない場合、利用者は、始めから操作指示の入力を行なう。この場合、操作画面を関連付けたジョブを記憶した状態にしておくと他の利用者の操作性を阻害する恐れがある。そこで、利用者が削除操作を入力することにより、制御部１３ｃは、消去部を制御して記憶された操作画面にかかるジョブだけを消去する。
【００７８】
これにより、画像処理装置１は、各種機能を設定する操作画面が複雑な階層構造に構成されている場合であっても、容易に関連する操作画面を呼び出すことができたり、誤ってリセット操作をしてもリセット前の状態に戻せたりするので、設定時間の短縮を図ることができる。
【００７９】
なお、本発明は、上記実施形態に限定されるものではなく、本発明の範囲内で上記実施形態に多くの修正および変更を加え得ることは勿論である。本実施形態では、コピーモードで説明したが、ファイリングモードやＦＡＸモードであってもよい。
【００８０】
本実施形態では、電気機器が画像処理装置として説明したが、特にこの限りではなく、洗濯機、電子レンジ、エアコンといった各種機能を設定する操作画面を有する電気機器に用いることができる。
【００８１】
本実施形態では、登録キーおよび呼出キーをタッチキーとして説明したが、特にこれに限られることはなく、ハードキーとして備えても良い。この場合、制御部は、呼び出された操作画面に操作指示が入力されると、呼出キーからの入力を無効にする。あるいは、呼び出しを不可にする。
【００８２】
本実施形態では、リセット操作をした場合、リセット操作がされるまでに入力された一連の操作画面を１のジョブとして記憶するとしているが、特にこの限りではない。例えば、操作画面を利用者が登録操作をすることで記憶部に記憶する場合は、記憶された操作画面を１のジョブとして記憶しても良い。
【図面の簡単な説明】
【００８３】
【図１】本実施形態に係る画像処理装置を示す斜視図
【図２】画像処理装置を示す断面図
【図３】画像処理装置のブロック図
【図４】画像形成装置に用いられる操作パネルを示す正面図
【図５】初期画面を示す図
【図６】選択画面を示す図
【図７】綴じ代を設定する操作画面を示す図
【図８】パンチ・ステープル処理の設定をする操作画面を示す図
【図９】関連する複数の操作画面の選択画面を示す図
【図１０】所望の操作画面を呼び出すための操作画面の変移を示す概略図
【図１１】所望の操作画面を呼び出すための操作画面の変移を示す概略図であって、（ａ）は従来の変移図、（ｂ）は呼出機能を用いた場合の変移図
【符号の説明】
【００８４】
１    画像処理装置
１３    操作パネル
１３ａ  操作部
１３ｂ  表示部
１３ｃ  制御部
１３ｄ  記憶部
２０ａ  ハードキー
２０ｂ  タッチキー
２０ｃ  呼出キー
２０ｄ  登録キー
【図１】
0005107668.tif 000002
【図２】
0005107668.tif 000003
【図３】
0005107668.tif 000004
【図４】
0005107668.tif 000005
【図５】
0005107668.tif 000006
【図６】
0005107668.tif 000007
【図７】
0005107668.tif 000008
【図８】
0005107668.tif 000009
【図９】
0005107668.tif 000010
【図１０】
0005107668.tif 000011
【図１１】
0005107668.tif 000012